(57)【要約】    【課題】    背中側からの軟便の漏れを確実に防止することのできる使い捨ておむつを提供すること。    【解決手段】  液保持性の吸収体４とこれを保持するカバー層２，３を有し、背側部Ａ、股下部Ｂ及び腹側部Ｃからなる本体１０と、該背側部Ａのおむつ長手方向両側縁部に設けられたファスニングテープ２０，２０とを有する使い捨ておむつ１であって、ファスニングテープ間には、弾性部材が配されておむつ幅方向に伸縮する胴回り伸縮部５，５が形成されており、背側部の端部Ｄには、弾性部材が配されておむつ幅方向に伸縮する端部伸縮部６が形成されており、弾性部材が配されておらず且つ実質的に非弾性であり、肌当接面側に凹状のポケットを形成するポケット形成部７，７が、胴回り伸縮部５と端部伸縮部６との間に設けられている。【選択図】    図１
2005152168.tif 000002
【特許請求の範囲】
【請求項１】
液保持性の吸収体とこれを保持するカバー層を有し、背側部、股下部及び腹側部からなる本体と、該背側部のおむつ長手方向両側縁部に設けられたファスニングテープとを有する使い捨ておむつであって、
前記ファスニングテープ間には、弾性部材が配されておむつ幅方向に伸縮する胴回り伸縮部が形成されており、前記背側部の端部には、弾性部材が配されておむつ幅方向に伸縮する端部伸縮部が形成されており、
弾性部材が配されておらず且つ実質的に非弾性である、肌当接面側に凹状のポケットを形成するポケット形成部が、前記胴回り伸縮部と前記端部伸縮部との間に設けられている使い捨ておむつ。
【請求項２】
前記胴回り伸縮部と前記端部伸縮部との間の距離が２０〜７０ｍｍであり、前記背側部における前記吸収体の側縁端の位置と該背側部の側縁端との間の距離が１００〜１５０ｍｍであり、
前記背側部における、おむつ長手方向において前記端部伸縮部を有する部分のおむつ幅方向の伸長率が、該背側部における、おむつ長手方向において前記胴回り伸縮部を有する部分のおむつ幅方向の伸長率より小さいことを特徴とする使い捨ておむつ。
【請求項３】
前記ファスニングテープは、前記本体を構成するシート材に積層固定されたテープ基部と前記背側部の側縁端から突出するテープ突出部とからなり、前記テープ基部と前記背側部側のおむつ長手方向端縁との間の距離が３０〜１００ｍｍである請求項１又は２記載の使い捨ておむつ。
【請求項４】
前記背側部のおむつ長手方向の端部における両隅部が、円弧状に形成されている請求項１〜３の何れか記載の使い捨ておむつ。
【発明の詳細な説明】
【技術分野】
【０００１】
本発明は、背中側からの軟便の漏れを確実に防止することのできる使い捨ておむつに関する。
【背景技術】
【０００２】
従来、使い捨ておむつとして、背側部に設けられたファスニングテープを、腹側部外面のランディングテープに止着して着用する、いわゆる展開型の使い捨ておむつが広く用いられている。
【０００３】
従来の展開型のおむつとして、着用時に、背側部側の上縁部が腹側部側の上縁部より上方に位置するように設計されたものが知られている（特許文献１，２参照）。
【０００４】
【特許文献１】特開２００２−４５３９２号公報
【特許文献２】特開昭６４−６１０５号公報
【発明の開示】
【発明が解決しようとする課題】
【０００５】
展開型の使い捨ておむつは、低月齢児にも使用できるという利点を有するものであるが、低月齢児の便は、液体状で低粘度の軟便である場合が多く、従来の低月齢児用のおむつにおいては、このような軟便の漏れを充分に防止することができなかった。
また、特許文献１，２に記載のおむつにおいても、軟便の漏れ防止性能が必ずしも充分であるとは言えない。
【０００６】
本発明の目的は、背中側からの軟便の漏れを確実に防止することのできる使い捨ておむつを提供することにある。
【課題を解決するための手段】
【０００７】
本発明は、液保持性の吸収体とこれを保持するカバー層を有し、背側部、股下部及び腹側部からなる本体と、該背側部のおむつ長手方向両側縁部に設けられたファスニングテープとを有する使い捨ておむつであって、前記ファスニングテープ間には、弾性部材が配されておむつ幅方向に伸縮する胴回り伸縮部が形成されており、前記背側部の端部には、弾性部材が配されておむつ幅方向に伸縮する端部伸縮部が形成されており、弾性部材が配されておらず且つ実質的に非弾性である、肌当接面側に凹状のポケットを形成するポケット形成部が、前記胴回り伸縮部と前記端部伸縮部との間に設けられている使い捨ておむつを提供することにより、前記目的を達成したものである。
【発明の効果】
【０００８】
本発明の使い捨ておむつによれば、背中側からの軟便の漏れを確実に防止することができる。
【発明を実施するための最良の形態】
【０００９】
以下、本発明を、その好ましい一実施形態に基づいて詳細に説明する。
本発明の一実施形態としての使い捨ておむつ１は、図１及び図２に示すように、液透過性の表面シート２、液不透過性の裏面シート３、及び両シート間に介在された液保持性の吸収体４を備えた本体１０と、一対のファスニングテープ２０，２０とを有する展開型の使い捨ておむつである。
使い捨ておむつ１は、低月齢児用に特に適したものである。具体的には、生まれたてから生後６ヶ月程度までの赤ちゃん、体重が７ｋｇくらいまでの赤ちゃんに特に適している。
【００１０】
本体１０は、長手方向及び幅方向を有しており、その長手方向に順に、着用時に着用者の背中側に配される背側部Ａ、股下部（股間部）に配される股下部Ｂ及び腹側に配される腹側部Ｃを有している。おむつ長手方向は、本体１０の長手方向と同義であり、おむつ幅方向とは、本体１０の幅方向と同義である。
一対のファスニングテープ２０は、背側部Ａの両側縁部に設けられており、腹側部Ｃの外表面には、両ファスニングテープ２０を止着するランディングゾーン１４が形成されている。各ファスニングテープ２０は、本体１０を構成するシート材に積層固定されたテープ基部２１と背側部Ａの側縁端Ａ１から突出するテープ突出部２２とからなる。テープ基部２１は、裏面シート３と後述する立体ギャザー形成用のシート材９２との間に挟持固定されている。
【００１１】
股下部Ｂは、おむつ長手方向の両側に、凹状の側縁形状を有し着用時に着用者の脚周りに配されるレッグ部を有している。本体１０は、背側部Ａの最大幅が、腹側部Ｃ側の最大幅より５〜１１ｃｍ程度大きい。
吸収体４は、矩形状をなしており、表面シート２は、吸収体４よりも外形寸法の大きい矩形状をなしている。裏面シート３は、本体１０の外形形状に一致する外形を有している。表面シート２は、裏面シート３との間に吸収体４を介在させた形で、裏面シート３の幅方向の中央部に積層されている。表面シート２及び裏面シート３は、それぞれ、吸収体４の両側縁４１，４１及び両端縁４２ａ，４２ｂから外方に延出しており、それらの延出部において互いに接合されている。裏面シート３の長手方向の両側部は、表面シート２の両側縁から幅方向外方に延出しており、その延出部分には、後述する立体ギャザー形成用のシート材９２が積層接着されている。本実施形態のおむつにおいては、表面シート２と裏面シート３が吸収体４を保持するカバー層となっている。
【００１２】
背側部Ａは、両ファスニングテープ２０，２０同士間、より具体的には、両ファスニングテープのテープ基部２１同士間に、おむつ幅方向に伸縮する一対のサイド伸縮部（胴回り伸縮部）５，５を有している。
両サイド伸縮部５，５は、おむつ幅方向に非連続的に形成されており、ファスニングテープ２０，２０同士間の領域のおむつ幅方向中央部には、おむつ幅方向に弾性伸縮する伸縮部が形成されていない。
【００１３】
各サイド伸縮部５は、図１及び図３に示すように、複数本の糸状の弾性部材５１を、それぞれおむつ幅方向と平行になるように所定間隔で配設固定して形成されている。より詳細には、弾性部材５１は、吸収体４の側縁端４１の位置よりおむつ幅方向外方に位置し且つテープ基部２１より幅方向内方に位置する部位におけるおむつ幅方向の全体又は一部に弾性伸縮性を発現するように配設固定されており、吸収体４の両側縁端４１間の領域のおむつ幅方向中央部には弾性伸縮性を発現する態様では配されていない。尚、弾性部材５１は、背側部Ａの幅方向に亘って配された柔軟な固定用シート５２に挟持固定された状態で、表面シート２又は立体ギャザー形成用のシート材９２と、裏面シート３との間に接着固定されている。
【００１４】
また、背側部Ａは、おむつ長手方向の端部１１におむつ幅方向に伸縮する端部伸縮部６を有している。端部伸縮部６は、図１、図３及び図４に示すように、帯状の弾性部材６１を、おむつ幅方向と平行になるように配設固定して形成されている。弾性部材６１は、表面シート２又は立体ギャザー形成用のシート材９２と、裏面シート３との間に接着固定されている。尚、背側部Ａ側のおむつ長手方向端縁１２と端部伸縮部６とは、離間していないことが好ましい。尚、腹側部Ｃ側のおむつ長手方向の端部にも、同様の弾性部材が配されて同様の端部伸縮部６Ａが形成されている。
【００１５】
本使い捨ておむつ１においては、弾性部材が配されておらず且つ実質的に非弾性であるポケット形成部７，７が、各サイド伸縮部（胴回り伸縮部）５と端部伸縮部６との間に設けられている。ポケット形成部７は、肌当接面側（表面シート２側）に凹状のポケットを形成する部分であり、着用状態において、そのような窪みが形成されるように変形することにより軟便捕捉部として機能する。
【００１６】
ポケット形成部７は、ファスニングテープをランディングゾーンに止着した状態において、肌当接面側に窪みを形成し得る部分であれば良く、着用者が着用した状態下において、常時窪みを形成している必要はない。しかしながらその一方で、着用時に安定して窪みを形成していることが好ましい。もちろん、着用前の状態で窪みを形成していることは必須ではないが、そのような形態を排除するものではなく、着用時の安定な窪み形状を達成する上で好ましい一実施形態となりうる。
「実質的に非弾性である」とは、胴回り伸縮部５及び／又は端部伸縮部６と共に弾性的に伸縮して、窪みを形成し得ないような部分はポケット形成部ではないことを意味する。
本実施形態のおむつ１は、各サイド伸縮部（胴回り伸縮部）５と端部伸縮部６との間であって、吸収体の側縁端よりもおむつ幅方向外方の部位にポケット形成部７を有している。
【００１７】
本使い捨ておむつ１は、胴回り伸縮部５と端部伸縮部６との間の距離Ｌ１（おむつ長手方向の距離，図１参照）が、好ましくは２０〜７０ｍｍである。当該範囲であると、背側部Ａにおいて軟便を一時的に補捉するポケット構造が形成され易くなり、着用時においてそのポケット構造を安定に保ち易くなる。また、背側部Ａが着用中に捲れあがったりすることが少ないので、着用者（赤ちゃん）がむずかってしまうようなことがない。このような観点及び便の捕捉力をより高める観点から、前記距離Ｌ１は３０〜６０ｍｍであることがより好ましい。
【００１８】
また、背側部Ａにおける、吸収体４の側縁端４１の位置と背側部Ａの側縁端Ａ１との間の距離Ｌ２（おむつ幅方向の距離，図１参照）は１００〜１５０ｍｍであることが好ましく、より好ましくは１１０〜１４０ｍｍである。
距離Ｌ２が１００ｍｍ以上であると、充分な大きさの軟便捕捉用ポケットを形成し得るポケット形成部７を確保でき、軟便の漏れ防止性能が非常に高くなる。また、赤ちゃんの下におむつを敷いた状態でテープを取る時、取り易い。距離Ｌ２が  １５０ｍｍ超であると、全体的に装着し易くなる。つまり、おむつを広げる時にひろげ易く、しかも続いて赤ちゃんの下におむつを敷く際、敷き易い。更にテープをおむつにとめる際に幅が左右のテープが重なり難いというメリットもある。
【００１９】
また、本実施形態の使い捨ておむつ１は、背側部Ａにおける、おむつ長手方向において端部伸縮部６を有する部分Ｄ（図１参照）のおむつ幅方向の伸長率（以下、端部伸長率ともいう）が、背側部Ａにおける、おむつ長手方向において胴回り伸縮部５，５を有する部分Ｅ（図１参照）のおむつ幅方向の伸長率（以下、胴回り伸長率ともいう）より小さいことが好ましい。
【００２０】
端部伸長率は、背側部Ａにおける、おむつ長手方向において端部伸縮部６を有する部分Ｄを、背側部Ａの全幅に亘る長さの帯状の測定片として切り出し、外力を加えない自然状態（収縮状態）において該試験片の長さを測定して、これをＬaとする。おむつから切り出す前に、図１に示すおむつ緊張状態において測定した、該試験片に相当する部分の長さをＬｂとして、下記式から伸長率を求める。
伸長率（％）＝（Ｌｂ−Ｌａ）／Ｌａ  ×１００
胴回り伸長応力は、背側部Ａにおける、おむつ長手方向において胴回り伸縮部５，５を有する部分Ｅを、該部分Ｅにおける背側部Ａの全幅に亘る長さの帯状の測定片として切り出す以外は、端部伸長率と同様に測定する。
【００２１】
使い捨ておむつ１は、テープ突出部２２のおむつ長手方向中心線（おむつ幅方向に延びる中心線）と、ランディングゾーン１４のおむつ長手方向の中心線（おむつ幅方向に延びる中心線）とを重ねるようにして装着したときに、図５に示すように、背側部Ａ側の端部伸縮部６の全体、及び胴回り伸縮部５と端部伸縮部６との間の領域の一部が、腹側部Ｃ側のおむつ長手方向端縁１３より上方（着用者の頭の方向を上方とする）に位置するようになされている。このような構成により、軟便の漏れ防止性能が一層確実に向上する。
【００２２】
本実施形態の使い捨ておむつ１は、図６に示すように、胴回り伸縮部５と端部伸縮部６を有し、その間に弾性部材が配されていない比較的面積の広い柔軟な領域を有し、該領域がポケット形成部７となるため、おむつ１と着用者の肌Ｓとの間を背側部側の端縁に向かって流れる軟便の流れが、肌に密着する胴回り伸縮部５により堰き止められ、また、胴回り伸縮部５を越えて流れだした場合であっても、凹状に変形したポケット形成部７が軟便捕捉部として機能するポケットを形成し、着用者の肌Ｓとポケット形成部７との間に軟便を捕捉する。これにより、背中側からの軟便の漏れを確実に防止することができる。尚、ポケット形成部７は、凹状に変形して着用者の肌Ｓとの間に空間が生じるポケットを形成することが好ましいが、空間が生じず両者間の接触圧が低くなっている状態でも同様の軟便捕捉効果が奏される。
【００２３】
しかも、端部伸長率が胴回り伸長率よりも小さく、胴回り伸縮部はより縮み、端部伸縮部はあまり縮まないので、各ポケット形成部７により形成されるポケットの形状が、三角州形状のような形状となり、より一層軟便の漏れ防止性能が向上する。
【００２４】
尚、三角州形状のポケット形状をつくるために端部伸長率は３０〜８０％であることが好ましく、胴回り伸長率は１２０〜１８０％であることが好ましい。また、端部伸長率と胴回り伸長率との比（前者／後者）は、三角州形状のポケット形状をつくる観点から０．５〜０．７であることが好ましい。
【００２５】
以下、本実施形態の使い捨ておむつ１について更に説明する。
使い捨ておむつ１は、おむつ装着の際及び／又はおむつ着用中に、背側部側の端部１１が着用者の背中に良好にフィットするようにする観点、及び当て易さ・ポケット形成のし易さの観点から、テープ基部２１と背側部Ａ側のおむつ長手方向端縁１２との間の距離Ｌ３（おむつ長手方向の距離，図１参照）が３０〜１００ｍｍであることが好ましく、特に好ましくは４０〜８０ｍｍである。
【００２６】
また、使い捨ておむつ１は、背側部Ａのおむつ長手方向の端部１１における両隅部１５，１５が、円弧状に形成されている。これにより、着用者に対する皮膚への刺激や着用中における背側部端部のめくれを防止することができる。円弧は、曲率半径が３〜５ｃｍであることが好ましい。
【００２７】
また、股下部Ｃの両レッグ部には、図２に示すように、一対のレッグギャザー８，８が形成されており、おむつ幅方向のその内側には、一対の立体ギャザー９，９が形成されている。各レッグギャザー８は、吸収体４の両側縁４１からおむつ幅方向外方に延出したシート材間、具体的には、裏面シート３及び立体ギャザー形成用のシート材９２との間に、複数本のレッグ部弾性部材８１をレッグ部の側端縁に沿って配設固定して形成されている。各立体ギャザー９は、弾性部材９１を有する立体ギャザー形成用のシート材９１を、表面シート２の両側縁の外方から内方に亘るように配設して形成されている。各シート材９２は、吸収体４の側縁４１とレッグ部弾性部材８１との間において、ヒートシール、接着剤等の公知の接合手段により、おむつ長手方向に亘って直線状に表面シート２上に固定されており、その直線状の固定部により立体ギャザー９の固定端が形成されている。各シート材９２は、その固定端よりも幅方向外方に位置する部分が表面シート２又は裏面シート３上に固定されており、また、背側部Ａ及び腹側部Ｃにおける前記固定端よりもおむつ幅方向中央側に位置する部分が表面シート２上に固定されている。各立体ギャザー９に配設された弾性部材９１は、それぞれ糸状の形態を有し、各立体ギャザー９の自由端と略平行に複数本配されている。
【００２８】
本実施形態の使い捨ておむつ１における各部の形成材料について説明する。
表面シート２、裏面シート３、吸収体４、及び立体ギャザー形成用のシート材９２、ランディングゾーン１４形成用のランディングテープ等の形成材料としては、従来、使い捨ておむつに用いられている各種公知の材料を特に制限なく用いることができる。
【００２９】
ファスニングテープ２０は、機械的面ファスナーのオス部材からなる止着部を有するものでも、粘着剤を塗布して形成した粘着部を有するものでも良い。また、裏面シート３の外表面側を係合性に富む素材により形成し、それをランディングゾーン１４として利用することもできる。
【００３０】
弾性部材５１，６１，８１，９１としては、この種の物品に従来用いられている各種公知の弾性部材を用いることができ、例えば、各弾性部材の形成素材としては、天然ゴムの他、スチレン−ブタジエン、ブタジエン、イソプレン、ネオプレン等の合成ゴム、ＥＶＡ、伸縮性ポリオレフィン、ウレタン等を用いることができ、各弾性部材の形態としては、糸状又は紐状のもの（糸ゴム、平ゴム等）、帯状のもの（ポリウレタン発泡成形体からなる帯状のもの等）、薄膜状のもの等を用いることができる。
胴回り伸縮部形成用の弾性部材５１は、糸状ないし紐状のものが好ましく、端部伸縮部形成用の弾性部材６１としては、帯状のものが好ましく、特に幅１０〜３０ｍｍ、厚み１〜５ｍｍのポリウレタン発泡成形体からなるものが好ましい。
【００３１】
以上、本発明の好ましい一実施形態について説明したが、本発明は、上述した実施形態に制限されず、本発明の趣旨を逸脱しない範囲で種々変更が可能である。
【実施例】
【００３２】
＜実施例１＞
図１〜図５に示す形態の使い捨ておむつを製造した。
各部の寸法及び物性値を以下に示す。
距離Ｌ１：４０ｍｍ、距離Ｌ２：１１７．５ｍｍ、距離Ｌ３：６０ｍｍ。
端部伸長率：６０％、胴回り伸長率：１５０％
胴回り伸縮部には糸状の弾性部材を、端部伸縮部には帯状のポリウレタン発泡成形体からなる幅１８ｍｍのものを用いた。
【００３３】
＜比較例１＞
前記距離Ｌ１及び前記距離Ｌ２を順に１０ｍｍ及び９７．５ｍｍとした以外は、実施例１と同様にして使い捨ておむつを製造した。このおむつでは端部伸縮部と胴回り伸縮部の間に捕捉のためのポケット構造が形成されなかった。
【００３４】
＜実施例２＞
前記距離Ｌ１を８０ｍｍとした以外は、実施例１と同様に使い捨ておむつを製造した。
【００３５】
＜比較例２＞
実施例１のおむつに代えて、背側部のファスニングテープ間におむつ幅方向に伸縮する伸縮部を有していないおむつを作成した。
【００３６】
＜性能評価＞
上記の使い捨ておむつについて、１）便漏れ防止性能、２）装着の容易性をそれぞれ下記方法で評価した。結果を表１に示した。
【００３７】
１）便漏れ防止性能
〔評価方法〕
低月齢児の腰から下を模した腰部モデルに各おむつを装着した後、該腰部モデルを、脚側が胴側よりも上になるように１５度に傾斜した台の上に固定した。その状態において、８０％濃度グリセリン水溶液で調製した粘度５０ｃｐ（音叉型粘度計；本実施例では、株式会社エー・アンド・ディ社製VIBRONISCOMETERCJV5000を用いて室温  ２５℃にて測定）の疑似軟便を、チューブを介してモデルの肛門部からおむつ内に注入した。注入は、３０ｇの疑似軟便を６秒かけて注入し、注入後３０秒間放置して漏れのないことを確認した後、再度、同じ条件で注入した。このような注入と放置を、漏れが生じるまで繰り返し、漏れが確認されるまでの注入量を便モレ値とした。
【００３８】
２）装着の容易性
〔評価方法〕
各おむつを、低月齢児モデル（静置様態では脚がくの字に曲がっているもの）に装着し、お尻の下への差し込み易さ、テープのつまみ易さについて評価した。
（評価基準）
お尻のしたへ差し込み易く、テープもつまみ易ければ○、どちらか１方がやりにくければ△、どちらもやりにくければ×とした。
【００３９】
【表１】
2005152168.tif 000003
【図面の簡単な説明】
【００４０】
【図１】図１は、本発明の一実施形態としての使い捨ておむつを、各部の弾性部材を伸張させ、各部の弾性部材が存在しないと仮定した場合の寸法と同じ寸法まで拡げた状態（緊張状態）を示す平面図である。
【図２】図２は、図１のＩ−Ｉ線断面図である。
【図３】図３は、図１のＩＩ−ＩＩ線断面図である。
【図４】図４は、図１のIII− III線断面図である。
【図５】図５は、図１の使い捨ておむつの着用状態を示す斜視図である。
【図６】図６は、おむつ着用状態における、図３に対応する断面を示す断面図である。
【符号の説明】
【００４１】
１  使い捨ておむつ
１０  本体
２    表面シート
３    裏面シート
４    吸収体
４１  吸収体の側縁端
５    サイド伸縮部（胴回り伸縮部）
６    端部伸縮部
７    ポケット形成部
２０  ファスニングテープ
Ａ    背側部
Ａ１  背側部の側縁端
Ｂ    股下部
Ｃ    腹側部
Ｄ    背側部における、おむつ長手方向において端部伸縮部を有する部分
Ｅ    背側部における、おむつ長手方向において胴回り伸縮部を有する部分
【図１】
2005152168.tif 000004
【図２】
2005152168.tif 000005
【図３】
2005152168.tif 000006
【図４】
2005152168.tif 000007
【図５】
2005152168.tif 000008
【図６】
2005152168.tif 000009